(57)【特許請求の範囲】
【請求項１】
開口部を有するネットに取り付けられ、前記開口部を塞ぐ形状を有するネット部材からなるネット蓋と、
両端を開放端とし、前記開口部を塞いで取り付けた前記ネット蓋と前記ネットの重なり合い部分を一方の面側から他方の面側へと網目を通り抜けさせた仕付け糸状態に配置されて、前記ネット蓋と前記ネットを重ね合わせた状態に保持すると共に、全長中央部分に、配置状態で前記ネット蓋と前記ネットから識別可能な識別部を有する、蓋取り付け紐と
からなることを特徴とするネット蓋取り付け構造。
【請求項２】
開口部を有すると共に前記開口部を取り囲んで複数の環状部材が配列された壁面に取り付けられ、前記開口部を塞ぐ形状を有するネット部材からなるネット蓋と、
両端を開放端とし、前記開口部を塞ぎ前記壁面に重ね合わせて取り付けた前記ネット蓋の網目を通り抜けて露出させた前記各環状部材を、連続して通り抜けさせた仕付け糸状態に配置されて、前記ネット蓋を前記壁面に重ね合わせた状態に保持すると共に、全長中央部分に、配置状態で前記ネット蓋から識別可能な識別部を有する、蓋取り付け紐と
からなることを特徴とするネット蓋取り付け構造。
【請求項３】
前記蓋取り付け紐は、全長中央部分を境にそれぞれの側が異なった色で区別され、
前記ネット蓋は、前記蓋取り付け紐のそれぞれの側が通り抜ける網目部分に、通り抜ける側の色に対応する着色部を有することを特徴とする請求項１または２に記載のネット蓋取り付け構造。
【請求項４】
前記ネット蓋は、前記開口部に対し開閉自在に、且つ、開時、前記開口部が形成された開口形成部に係止保持されるように装着されていることを特徴とする請求項１から３のいずれか一項に記載のネット蓋取り付け構造。
【請求項５】
前記蓋取り付け紐は、前記識別部に、前記蓋取り付け紐を引き出すための引き部材を備えていることを特徴とする請求項１から４のいずれか一項に記載のネット蓋取り付け構造。
【請求項６】
開口部を有するネットに、前記開口部を塞ぐ形状を有するネット部材からなるネット蓋を、前記開口部を塞ぐように位置合わせして取り付け、
蓋取り付け紐を、両端を開放端として、前記開口部を塞いで取り付けた前記ネット蓋と前記ネットの重なり合い部分を、一方の面側から他方の面側へと網目を通り抜けさせた仕付け糸状態に配置して、全長中央部分に設けた、配置状態で前記ネット蓋と前記ネットから識別可能な識別部を、引き出し方向に位置させ、前記ネット蓋と前記ネットを重ね合わせた状態に保持する
ことを特徴とするネット蓋取り付け方法。
【請求項７】
開口部を有すると共に前記開口部を取り囲んで複数の環状部材が配列された壁面に、前記開口部を塞ぐ形状を有するネット部材からなるネット蓋を、前記開口部を塞ぐように位置合わせして取り付け、
蓋取り付け紐を、両端を開放端として、前記開口部を塞ぎ前記壁面に重ね合わせて取り付けた前記ネット蓋の網目を通り抜けて露出させた前記各環状部材を、連続して通り抜けさせた仕付け糸状態に配置して、全長中央部分に設けた、配置状態で前記ネット蓋から識別可能な識別部を、引き出し方向に位置させ、前記ネット蓋を前記壁面に重ね合わせた状態に保持する
ことを特徴とするネット蓋取り付け方法。
【発明の詳細な説明】
【技術分野】
【０００１】
この発明は、ネット蓋取り付け構造及びネット蓋取り付け方法に関し、特に、鳥の進入や球の飛び出し等を防止するネットに開けられた開口部にネット蓋を取り付けるネット蓋取り付け構造及びネット蓋取り付け方法に関する。
【背景技術】
【０００２】
近年、鳥（野鳥）の糞害等から製品、建物、設備、人の健康等を守ることを目的に、工場、倉庫、駐車場、集合住宅等において、鳥の入り込みを防ぐ防鳥対策が施されるようになった。また、都市部の再開発計画等においては、設計段階で鳥への対策が検討され、設計仕様に防鳥対策工事が盛り込まれるようになった。
防鳥対策は、対象となる鳥の種類、飛来数、飛来目的、建物の構造等の諸条件により様々であるが、大型の建物の天井部、壁面、開口部等、広い空間への鳥の入り込みを防止する方法としては、防止対象箇所に防鳥ネットを取り付けて、一定の空間を閉鎖する方法が最も広く採用されている。
【０００３】
ネットは、金属や化学繊維等を用いて形成されるが、防鳥対策用には、一般的にポリエチレン製が用いられている。現在、縒り線ネット及び単線ネットの何れも、色、線径、目合いの種類が多いことから、防鳥効果だけでなく見栄えも考慮して使用するネットを選択できることも、多く採用される理由である。
ネットを設置することは、施工効率、防鳥効果、工費面からも有効な方策であり、ゴルフ練習場や運動場に面した建物へも、球が飛び込むのを防ぐ防球を目的として、同様のネットが類似した工法で設置されることがある。
【０００４】
ところで、ネットを設置した場合、ネットに覆われた壁面（屋内外）や天井部等の清掃及び保守管理作業を行う際の妨げとなる。そのため、ネット設置工事では、設置したネットに、設備点検が必要な箇所、配管配線の分岐点、人の出入り箇所等、ネット内に入り込むことが必要な場所を切り取って点検口を設けることにより、対処している。
ネットに設ける点検口（ハンドホール／マンホール）のサイズは、大小様々だが、例えば、６００ｃｍ四方が基本的な大きさとなり、形は、円形、四角形どちらも見かけるが、四角形が最も多く用いられている。点検口は、通常、防鳥、防球ネット本来の役割を果たすべく、ネット蓋により塞がれていると共に必要に応じて速やかに開閉できることが条件となる。
【０００５】
ネット蓋は、点検口を確実に塞ぐため、点検口サイズより一回り大きく形成されており、開閉方法も、次に挙げるように様々である。１．単純に四隅をネットと同素材の細いロープで縛る。２．Ｓ字金具で本体ネットの網目糸に引っ掛ける。３．カラビナに代表される開閉する金属製のフックやリングで、ネット蓋と本体ネットの網目を接続する。４．ファスナを取り付ける。５．ベルクロテープを取り付ける。これら何れの方法も、長所・短所を有しており、確定的に用いられる開閉方法は無いのが現状である。
【０００６】
この中で金属製のフックは、強度・耐久性に優れ、確実に二本の網目糸を保持するが、次のような短所も有する。１．使い易い大きさのものが網目サイズに比べて大きい。２．自重がネットを弛ませる。３．ネット蓋と本体ネットの隙間を無くすには、フックの数が多くなり、必然的に２．の問題を増加させる。４．３．と同様の理由で、強く張りを持たせるため、本体ネットの網目糸に強い張力が掛かる。５．時間の経過と共に金属腐食、汚れ等が原因で開閉部分に支障が生じる可能性がある。
このような開閉式開口は、点検保守作業に必要なだけでなく、建物が、劇場、ショッピングモール、遊戯施設等の公共の場として使用される場合、研究施設や集合住宅で避難経路が二方向に取れない場合、バルコニー等の開口部で避難脱出装置が開口に設置されている場合等には、非常時の避難口や消防士の突入口として、不可欠の設備となる。
【０００７】
避難口は、人が無理なく通り抜けられる大きさならば、基本的に点検口と同様の構造でよいが、開閉は建物の内部から行うため、ネット蓋は、本体ネットの外側へ開くか落下する構造が望ましい。現在、避難口の開閉方法や構造に法的に統一された規格は無く、施工業者が独自に工夫して設置しているのが現状であり、誰にでも簡単に開閉することができる、安全で確実な開口部開閉構造が望まれる。
【発明の開示】
【発明が解決しようとする課題】
【０００８】
しかしながら、現在、避難口や突入口としての開口部の開閉方法として採用されている、上述した方法の場合、ネット蓋を開けるためには、細紐の結びを解いたり、堅くなったフックを開いたり、テンションの掛かった網目糸からフックを素早く外したりすることが必要であるが、これらの操作を、緊急を要する非常時の混乱・緊張した状態で行うことは容易でないばかりでなく、不可能な場合さえある。また、フック等を用いた場合には、開閉するために取り付けられた紐や金具止め位置に手が届く必要となる。
この発明は、ネット蓋により閉じられた開口部を、緊急を要する非常時の混乱・緊張した状態でも、容易に、且つ、確実に開けることができるネット蓋取り付け構造及びネット蓋取り付け方法を提供することである。
【課題を解決するための手段】
【０００９】
上記目的を達成するため、この発明に係るネット蓋取り付け構造は、開口部を有するネットに取り付けられ、前記開口部を塞ぐ形状を有するネット部材からなるネット蓋と、両端を開放端とし、前記開口部を塞いで取り付けた前記ネット蓋と前記ネットの重なり合い部分を一方の面側から他方の面側へと網目を通り抜けさせた仕付け糸状態に配置されて、前記ネット蓋と前記ネットを重ね合わせた状態に保持すると共に、全長中央部分に、配置状態で前記ネット蓋と前記ネットから識別可能な識別部を有する、蓋取り付け紐とからなることを特徴としている。
【００１０】
また、この発明に係るネット蓋取り付け方法は、開口部を有するネットに、前記開口部を塞ぐ形状を有するネット部材からなるネット蓋を、前記開口部を塞ぐように位置合わせして取り付け、蓋取り付け紐を、両端を開放端として、前記開口部を塞いで取り付けた前記ネット蓋と前記ネットの重なり合い部分を、一方の面側から他方の面側へと網目を通り抜けさせた仕付け糸状態に配置して、全長中央部分に設けた、配置状態で前記ネット蓋と前記ネットから識別可能な識別部を、引き出し方向に位置させ、前記ネット蓋と前記ネットを重ね合わせた状態に保持することを特徴としている。
【発明の効果】
【００１１】
この発明によれば、開口部を有するネットに、開口部を塞ぐ形状を有するネット部材からなるネット蓋を取り付け、全長中央部分に、配置状態でネット蓋とネットから識別可能な識別部を有する蓋取り付け紐を、両端を開放端とし、開口部を塞いで取り付けたネット蓋とネットの重なり合い部分を一方の面側から他方の面側へと網目を通り抜けさせた仕付け糸状態に配置することにより、ネット蓋とネットを重ね合わせた状態に保持される。
これにより、ネット蓋により閉じられた開口部を、緊急を要する非常時の混乱・緊張した状態でも、容易に、且つ、確実に開けることができる。
【発明を実施するための最良の形態】
【００１２】
以下、この発明を実施するための最良の形態について図面を参照して説明する。
図１は、この発明の一実施の形態に係るネット蓋取り付け構造の平面説明図である。図１に示すように、ネット蓋１０は、ネット部材により形成されて、本体ネット（ネット）１１に開けられた開口部１２を塞ぐように取り付けられており、蓋取り付け紐１３の装着により本体ネット１１と重ね合わせた状態に保持され、蓋取り付け紐１３の抜き取りにより本体ネット１１との重ね合わせが解除される。
【００１３】
図２は、図１の本体ネットの平面説明図である。図２に示すように、本体ネット１１は、金属や化学繊維等を用いて形成されており、例えば、鳥の入り込みを防止する防鳥ネット、或いはゴルフボールや野球ボール等が飛び込むのを防ぐ防球ネットとして用いられ、建物全体やバルコニーを覆って設置されている。防鳥対策用としては、一般的に、ポリエチレン（ＰＥ）製の縒り線ネットや単線ネットが用いられる。
開口部１２は、必要に応じて様々な大きさや形状に形成される。例えば、本体ネット１１に覆われた壁面（屋内外）や天井部等の清掃及び保守管理作業を行うために、設備点検が必要な箇所、配管配線の分岐点、人の出入り箇所等、本体ネット１１内に入り込むことが必要な場所を切り取って形成され、点検口（ハンドホール／マンホール）として機能する。この場合、例えば、一辺６００ｃｍの矩形状とする。
【００１４】
また、開口部１２は、本体ネット１１に覆われる建物が、劇場、ショッピングモール、遊戯施設等の公共の場として使用される場合、研究施設や集合住宅で避難経路が二方向に取れない場合、バルコニー等の開口部で避難脱出装置が開口に設置されている場合等には、非常時の避難口や消防士の突入口として機能する。
そして、開口部１２は、通常、ネット蓋１０により塞がれていると共に必要に応じて速やかに開閉できることが、設置条件となる。
この本体ネット１１は、素材、単線・縒り線、角目・菱目、目糸の線径、結節の有無等ネットの仕様に関係なく、通常、防鳥や防球を目的として設置され、例えば、目合い１５〜５０ｍｍの化学繊維製ネットが用いられる。また、蓋取り付け紐１３は、太さ２〜６ｍｍのロープを基本に、目糸の線径、ネット蓋１０の大きさとのバランス、気象条件、設備機器の振動や送風機の影響等、設置場所の環境や使用頻度を考慮して、可能な限り細いものを使用する。
【００１５】
図３は、図１のネット蓋の平面説明図である。図３に示すように、ネット蓋１０は、開口部１２（図２参照）の上下左右に、例えば、網目３〜４目分大きくなるように、開口部１２を拡大した相似形状を有し、基本的に、本体ネット１１と同様の素材及び網目構造により形成されるが、本体ネット１１より太い線径の目糸により形成しても良い。つまり、ネット蓋１０は、開口部１２を覆った際、ネット蓋１０の周辺部（網目３〜４目分）が、本体ネット１１の開口部１２周辺に重なることになる（図１参照）。このネット蓋１０には、網の絡み合いや引っ掛かり等が発生することを防止するため、周縁部に、例えば、４〜６ｍｍφのポリエチレン（ＰＥ）製ロープからなる縁取り補強ロープ１４を網付けた、縁取り処理が施されている。
【００１６】
また、ネット蓋１０には、下辺部１０ａに対向する上辺部１０ｂの網目部分と、上辺部１０ｂの両側の側辺部１０ｃ，１０ｄの網目部分に、例えば、二つ置きに着色部１５が設けられている。なお、着色部１５は、二つ置きに限らず、一つ置き或いは三つ置き以上でも良い。着色部１５は、上辺部１０ｂの長手方向略中間部分を境に、上辺部１０ｂの一方の側辺部１０ｃ側から一方の側辺部１０ｃと、上辺部１０ｂの他方の側辺部１０ｄ側から他方の側辺部１０ｄとが、異なった色で着色されている。例えば、上辺部１０ｂの一方の側辺部１０ｃ側から一方の側辺部１０ｃは赤色着色部１５ａにし、上辺部１０ｂの他方の側辺部１０ｄ側から他方の側辺部１０ｄは緑色着色部１５ｂにする。
【００１７】
図４は、図１のネット蓋の装着状態を示す説明図である。図４に示すように、ネット蓋１０は、下辺部１０ａが、本体ネット１１の開口部１２下方に、例えば、結束金具１６により取り付けられており（図１参照）、本体ネット１１に対し、下辺部１０ａを回転軸として、開口部１２を塞ぐ接近状態（図中、実線参照）、或いは開口部１２を開口する下方離反状態（図中、破線参照）に、上下回動する。つまり、ネット蓋１０は、開口部１２に対し開閉自在に、且つ、開時、開口部１２が形成された開口形成部（本体ネット１１の開口部１２下方）に、係止保持されるように装着されている。
このネット蓋１０は、蓋取り付け紐１３の引き抜き時に本体ネット１１の網目に引き込まれないように、十分な剛性及び形状保持性を備えることができる、ネット素材及び網目構造を選択することが必要である。
【００１８】
図５は、図１の蓋取り付け紐の平面説明図である。図５に示すように、蓋取り付け紐１３は、例えば、本体ネット１１の素材と同一の素材であるポリエチレン製の１本の紐（ロープ）からなり、開口部１２を塞いで取り付けたネット蓋１０と本体ネット１１を重ね合わせた状態で、重ね合わせた両ネット１０，１１の一方の面側から他方の面側へと網目を通り抜けることができる、形状及び太さ（例えば、３〜６ｍｍφ）に形成されている。
【００１９】
この蓋取り付け紐１３は、全長中央部分に、例えば、結束リング１７を用いて円環状部（識別部）１３ａが設けられており、両端部は、それぞれ異なった色、例えば、一方の端部１３ｂは赤色に他方の端部１３ｃは緑色に、着色されている。
つまり、蓋取り付け紐１３は、全長中央部分を境にそれぞれの側が異なった色で区別されており、これに対応して、ネット蓋１０は、蓋取り付け紐１３のそれぞれの側が通り抜ける網目部分に、通り抜ける側の色に対応する着色部１５を有することになる。
【００２０】
図６は、蓋取り付け紐に設ける引き紐の説明図である。図６に示すように、蓋取り付け紐１３に、引き紐（引き部材）１７を設けても良い。引き紐１７は、例えば、ポリエチレン製の紐（ロープ）からなり、蓋取り付け紐１３に円環状部１３ａを設けず、蓋取り付け紐１３を全長中央部分で切断し、その両切断端部と共に、下方に延ばした状態で結束リング１８により一体化する。このとき、切断した蓋取り付け紐１３の一方片１３ｄを赤色に、他方片１３ｅを緑色に、全長中央部分に取り付けた引き紐１７を黒色に、それぞれ着色しても良い。なお、引き紐１７は、必要なときに用意して、直接、円環状部１３ａに結び付けても良い。
【００２１】
引き紐１７の長さは、例えば、蓋取り付け紐１３をネット蓋１０と本体ネット１１の網目から引き抜く際に、引き抜き操作を行う作業者の手が十分に届く長さとするが、開口部１２が点検口等に設けられている場合は、作業者の手で握ることができる長さ（２００ｍｍ程度）としても良い。つまり、長い引き紐は必要ない。
そして、蓋取り付け紐１３を、両端を開放端とし、開口部１２を塞いで取り付けたネット蓋１０（図３参照）と本体ネット１１（図２参照）を重ね合わせて、重ね合わせたネット蓋１０と本体ネット１１の一方の面側から他方の面側へと縫うように、網目を通り抜けさせ、ネット蓋１０が本体ネット１１に仮止め状態になる、裁縫における仕付け糸状態に配置する（図１参照）ことで、ネット蓋１０と本体ネット１１を重ね合わせた状態、即ち、開口部１２をネット蓋１０により塞いだ状態に保持することができる（図１参照）。
【００２２】
図７は、蓋取り付け紐の配置状態を示し、（ａ）は角部における網目の通り抜け状態説明図、（ｂ）は全長中央部分における網目の通り抜け状態説明図である。図７に示すように、蓋取り付け紐１３を、開口部１２に沿って網目を通り抜けさせる際、蓋取り付け紐１３は、網目を、或いは、一つ置きに拾って、ネット蓋１０と本体ネット１１の一方の面側から他方の面側へと通り抜ける（図７（ａ），図１参照）が、蓋取り付け紐１３が屈曲する角部（コーナー部）においては、ネット蓋１０と本体ネット１１の一方の面側のみを通す（図７（ａ）参照）。なお、蓋取り付け紐１３は、網目を、一つ置きに拾う他、二つ置き以上に拾っても良い。
この蓋取り付け紐１３が網目を拾う間隔は、目合い１５〜２０ｍｍでは、網目間隔（目数）は３〜４目で、ロープ径は３〜４ｍｍが対応し、目合い２５〜２８ｍｍでは、網目間隔（目数）は２〜３目で、ロープ径は４〜６ｍｍ、目合い３０ｍｍでは、網目間隔（目数）は２〜３目で、ロープ径は４〜６ｍｍ、目合い３５〜５０ｍｍでは、網目間隔（目数）は１目で、ロープ径は５〜６ｍｍ、がそれぞれ対応する。
【００２３】
また、引き紐１７との接続部分である、蓋取り付け紐１３の全長中央部分においては、網目を１〜２目分空けた後、左右へ同じ目数を拾って進む。この蓋取り付け紐１３の全長中央部分に設けた円環状部１３ａは、蓋取り付け紐１３を引き抜くときの引き出し方向、即ち、重ね合わせた本体ネット１１とネット蓋１０の一方の面側（本体ネット１１側）、或いは他方の面側（ネット蓋１０側）に、位置させておく。これにより、設置した本体ネット１１の内側或いは外側の何れの側からも蓋取り付け紐１３を引き抜くことができる。
【００２４】
このように、蓋取り付け紐１３は、両端を開放端とし、重ね合わせたネット蓋１０と本体ネット１１の一方の面側から他方の面側へと網目を縫うように通り抜けさせた、裁縫における仕付け糸状態に配置されているので、円環状部１３ａに指を掛け或いは引き紐１７を掴んで引き出すことにより、容易に、ネット蓋１０と本体ネット１１の網目から引き抜いて、ネット蓋１０と本体ネット１１から離脱させることができる。
なお、蓋取り付け紐１３は、端部に解れ止めのための加熱処理を施すと共に、ネット蓋１０が本体ネット１１に仮止め状態になる、仕付け糸状態に配置した状態で、ネット蓋１０の下辺部１０ａより２００〜３００ｍｍ程長くなる長さとする。これにより、結びつけることが不要になり、高い所に設置されていても、容易に手が届く。
【００２５】
図８は、図６の引き紐の操作状況を示す説明図である。図８に示すように、引き紐１７は、本体ネット１１及びネット蓋１０の設置状態に対し、引き抜き操作を行う作業者Ｐが、例えば、４５度以上の角度を有して引き出すことができるように取り付ける（図中、実線参照）。引き紐１７の引き出し角度が４０度以下の場合、本体ネット１１とネット蓋１０が重なった部分で摩擦力が大きくなり、引き紐１７が引き出し難くなる。
【００２６】
このため、例えば、脱出シュート１９が設置されているバルコニーＢを覆って本体ネット１１が装着されており、バルコニーＢの奥行きが狭いため、引き紐１７の引き出し角度が４０度以下になる場合は、バルコニーＢの天井部に、引き出し角度を変えるための係止部材、例えば、係止フック２０ａや円筒部材２０ｂ等を取り付けて、引き紐１７の引き出し角度が４５度以上になるようにし（図中、破線参照）、引き紐１７と、本体ネット１１及びネット蓋１０の目糸との抵抗を軽減して容易に引き抜くことができるようにする。
【００２７】
次に、ネット蓋１０を本体ネット１１の開口部１２を塞いで取り付けるネット蓋取り付け方法を説明する。
先ず、開口部１２を有する本体ネット１１（図２参照）に、ネット蓋１０（図３参照）を、開口部１２を塞ぐように位置合わせして取り付ける。開口部１２を塞ぐように位置合わせしたネット蓋１０は、下辺部１０ａを、本体ネット１１の開口部１２下方に、結束金具１４により回動可能に取り付けられる。
【００２８】
続いて、蓋取り付け紐１３の一方の端部１３ｂ（赤色）を先頭にして、ネット蓋１０の上辺部１０ｂの長手方向略中間部分から、赤色着色部１５ａを目印に、上辺部１０ｂの一方の側辺部１０ｃ側を経て一方の側辺部１０ｃへ、ネット蓋１０と本体ネット１１の重なり合い部分を、一方の面側から他方の面側へと二つ置き（或いは一つ置きや三つ置き以上）で網目を縫うように通り抜けさせて、ネット蓋１０が本体ネット１１に仮止め状態になる、裁縫における仕付け糸状態に配置する。これにより、蓋取り付け紐１３の一方の端部１３ｂ（赤色）側は、ネット蓋１０の一方の側辺部１０ｃ側（赤色着色部１６ａ）に位置する。
【００２９】
同様に、蓋取り付け紐１３の他方の端部１３ｃ（緑色）を先頭にして、ネット蓋１０の上辺部１０ｂの長手方向略中間部分から、緑色着色部１５ｂを目印に、上辺部１０ｂの他方の側辺部１０ｄ側を経て他方の側辺部１０ｄへ、ネット蓋１０と本体ネット１１の重なり合い部分を、一方の面側から他方の面側へと二つ置き（或いは一つ置きや三つ置き以上）で網目を縫うように通り抜けさせて、ネット蓋１０が本体ネット１１に仮止め状態になる、裁縫における仕付け糸状態に配置する。これにより、蓋取り付け紐１３の他方の端部１３ｃ（緑色）側は、ネット蓋１０の他方の側辺部１０ｄ側（緑色着色部１６ｂ）に位置する。
【００３０】
このとき、蓋取り付け紐１３の引き紐１７を、蓋取り付け紐１３を引き抜くときの引き出し方向（本体ネット１１の内側或いは外側）に位置させておく。付け紐１３を設けない場合は、円環状部１３ａを引き出し方向にＵ字状に飛び出させておく。なお、一方の端部１３ｂ（赤色）と他方の端部１３ｃ（緑色）が拾う網目の数は、同数とし、円環状部１３ａを境に左右均等になるようにする。
これにより、ネット蓋１０を本体ネット１１の開口部１２を塞いだ状態に保持することができる。また、蓋取り付け紐１３を仕付け糸状態に配置する際も、赤色或いは青色を目印に通していけば良いので、簡単・確実に紐通し作業ができる。
一方、ネット蓋１０を本体ネット１１から外して開口部１２を露出させる場合を説明する。
【００３１】
図９は、蓋取り付け紐のネット蓋配置状態の説明図である。図９に示すように、ネット蓋１０が本体ネット１１の開口部１２を塞いだ状態に保持されているとき、蓋取り付け紐１３は、ネット蓋１０の上辺部１０ｂ及び両側辺部１０ｃ，１０ｄに沿って、恰も、裁縫における仕付け状態に配置されている。
このため、付け紐１７（或いは円環状部１３ａ）を、ネット蓋１０から引き出すことにより、付け紐１７（或いは円環状部１３ａ）の移動に連れて、ネット蓋１０及び本体ネット１１に仕付け状態に配置されていた蓋取り付け紐１３は、両端部１３ｂ，１３ｃ側双方が略同時に、ネット蓋１０の上辺部１０ｂの長手方向略中間部分に向かって移動する（図中、矢印参照）。そして、蓋取り付け紐１３は、ネット蓋１０の上辺部１０ｂの長手方向略中間部分から抜き取られる。
【００３２】
蓋取り付け紐１３が、仕付け状態に配置されているネット蓋１０及び本体ネット１１から抜き取られることにより、本体ネット１１の開口部１２を塞いだ状態に保持されていたネット蓋１０は、本体ネット１１との結合が解除されて、下辺部１０ａを回動軸として下方へ回動し、開口部１２が露出する。
従って、ネット蓋１０は、本体ネット１１との間で、蓋取り付け紐１３を、恰も、裁縫における仕付け糸状態に配置することにより、本体ネット１１の開口部１２を塞いだ状態に保持することができ。一方、裁縫における仕付け糸状態に配置された蓋取り付け紐１３は、容易に引き出すことができるので、蓋取り付け紐１３をネット蓋１０及び本体ネット１１から抜き取ることにより、ネット蓋１０と本体ネット１１の結合を解除して開口部１２を露出させることができる。
【００３３】
図１０は、ネット蓋取り付け構造の他の例を示し、（ａ）は開口部の説明図、（ｂ）はネット蓋取り付け状態の説明図である。図１０に示すように、ネット蓋１０を、本体ネット１１の開口部１２（図２参照）ではなく、壁面２１の開口部２２（（ａ）参照）に取り付けても良い。
この開口部２２は、例えば、コンクリート、金属、合板等からなる壁面２１に設けられている他、天井部等に設けられていても良く、開口部２２が設けられた壁面２１（開口形成部）には、開口部２２を取り囲んで複数の環状部材（例えば、アイボルトやアイストラップ等）２３が配列されている（（ａ）参照）。
【００３４】
そして、ネット蓋１０を、開口部１２を塞ぎ壁面２１に重ね合わせて取り付けて、各環状部材２３をネット蓋１０の網目を通り抜けて露出させ、蓋取り付け紐１３を、両端を開放端とし、ネット蓋１０から露出させた各環状部材２３を連続して通り抜けさせて、ネット蓋１０が本体ネット１１に仮止め状態になる、裁縫における仕付け糸状態に配置する。これにより、ネット蓋１０は、壁面２１に重ね合わせた状態に保持される。
【００３５】
なお、蓋取り付け紐１３の一方の端部１３ｂ（赤色）側は、ネット蓋１０の一方の側辺部１０ｃ側（赤色着色部１５ａ）に位置し、他方の端部１３ｃ（緑色）側は、ネット蓋１０の他方の側辺部１０ｄ側（緑色着色部１５ｂ）に位置する等、その他の構成及び作用は、ネット蓋１０を本体ネット１１に仕付け糸状態に配置する場合と同様である。
また、上述した、蓋取り付け紐１３を、ネット蓋１０と本体ネット１１を仮止めする、裁縫における仕付け糸状態に配置する方法は、ハトメ加工を施した養生シートやメッシュシートを仮固定する場合にも、ハトメ部分を重ねた状態で行うことにより、適用することができる。
【００３６】
このように、一本のロープ（蓋取り付け紐１３）で本体ネット１１とネット蓋１０を簡潔、且つ、確実に重ね合わせた状態に保持し、また、引き紐１７を一方向へ引くだけで、一度に左右の仮止め状態から引き抜くことができ、ネット蓋１０を速やかに開放することができる。即ち、バルコニー等に設置された防鳥・防球用のネット（本体ネット１１）に開けられた、避難口・脱出口等に臨む開口部１２を、ネット蓋１０で塞ぎ或いはネット蓋１０を外して露出することが、簡便、迅速、安価に、且つ、専門的な技術、知識を必要とせずに、行うことができる。
また、本体ネット１１が、水平・垂直・斜めの何れの方向に設置された場合でも、使用することができ、平時は、ロープの端部を金物等で固定したり結び付けること無く、常に、フリー状態でネット蓋１０を保持することができる。
従って、細紐の結びを解いたり、堅くなったフックを開いたり、テンションの掛かった網目糸からフックを素早く外したりすることなく、ネット蓋１０により閉じられた開口部１２を、緊急を要する非常時の混乱・緊張した状態でも、容易に、且つ、確実に開けることができる。よって、ネット蓋１０による、ネット内の配線・配管、照明、音響、空調設備等の点検口の開閉を行う際に、作業効率を向上させると共に経費を節減することができる。
【００３７】
なお、略年間一度の設備更新時に使用する、変電所や工場等の大型点検・搬入用開口部に設置したネットの場合には、通す網目をそれぞれ変えて、２方向、３方向から蓋取り付け紐１３を挿入することにより、装着したネット蓋１０のより確実な保持力を得ることが可能であり、ネット蓋１０の開放時の作業手順も、網付け方法や金物部材を用いた固定方法に比べ格段に簡略化される。
また、天然素材のネットの場合、蓋取り付け紐１３の素材をネットと同一素材とすることにより対応可能である。この際、耐久性、設置条件を考慮し、日常の点検、短周期の定期点検を実施する。
【図面の簡単な説明】
【００３８】
【図１】この発明の一実施の形態に係るネット蓋取り付け構造の平面説明図である。
【図２】図１の本体ネットの平面説明図である。
【図３】図１のネット蓋の平面説明図である。
【図４】図１のネット蓋の装着状態を示す説明図である。
【図５】図１の蓋取り付け紐の平面説明図である。
【図６】蓋取り付け紐に設ける引き紐の説明図である。
【図７】蓋取り付け紐の配置状態を示し、（ａ）は角部における網目の通り抜け状態説明図、（ｂ）は全長中央部分における網目の通り抜け状態説明図である。
【図８】図６の引き紐の操作状況を示す説明図である。
【図９】蓋取り付け紐のネット蓋配置状態の説明図である。
【図１０】ネット蓋取り付け構造の他の例を示し、（ａ）は開口部の説明図、（ｂ）はネット蓋取り付け状態の説明図である。
【符号の説明】
【００３９】
１０  ネット蓋
１０ａ  下辺部
１０ｂ  上辺部
１０ｃ，１０ｄ  側辺部
１１  本体ネット
１２  開口部
１３  蓋取り付け紐
１３ａ  円環状部
１３ｂ  一方の端部
１３ｃ  他方の端部
１３ｄ  一方片
１３ｅ  他方片
１４  縁取り補強ロープ
１５  着色部
１５ａ  赤色着色部
１５ｂ  緑色着色部
１６  結束金具
１７  引き紐
１８  結束リング
１９  脱出シュート
２０ａ  係止フック
２０ｂ  円筒部材
２１  壁面
２２  開口部
２３  環状部材
Ｂ  バルコニー
Ｐ  作業者
【図１】
0004917486.tif 000002
【図２】
0004917486.tif 000003
【図３】
0004917486.tif 000004
【図４】
0004917486.tif 000005
【図５】
0004917486.tif 000006
【図６】
0004917486.tif 000007
【図７】
0004917486.tif 000008
【図８】
0004917486.tif 000009
【図９】
0004917486.tif 000010
【図１０】
0004917486.tif 000011